(57)【要約】【課題】      狭額縁化と色再現範囲の拡大が両立された表示装置を提供する。【解決手段】  表示装置は、透過部の面積が異なる複数の画素を有する。それぞれの画素を駆動するためには、各画素毎に画素ドライバやスイッチング回路といった駆動回路が必要とされる。そこで、駆動回路を透過部の面積が小さい画素の遮光部に配置する。例えば、１つのカラー画素がＲＧＢ３色のサブ画素により構成される場合、グリーン画素の透過部の面積を、レッド及びブルー画素の透過部の面積より小さくし、グリーン画素の周辺に３色のサブ画素の駆動回路を形成する。これにより、駆動回路を効率よく集中させて狭額縁化を図ることができる。また、グリーン画素をレッド及びブルー画素より小さくすることにより、緑の輝度を赤及び青の輝度に対して相対的に低下させ、バランスのよい白色を得ることができる。【選択図】図４
2006139058.tif 000002
【特許請求の範囲】
【請求項１】
複数の走査線と複数のデータ線との交差に対応して画素部を構成する液晶表示装置において、
前記画素部は、各々面積が異なる透過部と遮光部とを具備する複数の画素を有し、
前記透過部の面積が小さい画素の遮光部に、当該画素の駆動回路及び当該画素より透過部の面積が大きい他の画素の駆動回路が形成されていることを特徴とする液晶表示装置。
【請求項２】
前記遮光部は、黒色遮光層によって覆われていることを特徴とする請求項１に記載の液晶表示装置。
【請求項３】
前記遮光部は、反射電極によって覆われていることを特徴とする請求項１に記載の液晶表示装置。
【請求項４】
前記複数の画素の各々は、カラー画素を構成するサブ画素であり、
前記透過部の面積が小さい画素はグリーン画素であり、前記他の画素はレッド画素及びブルー画素であることを特徴とする請求項１乃至３のいずれか一項に記載の液晶表示装置。
【請求項５】
前記複数の画素の各々は、カラー画素を構成するサブ画素であり、
前記透過部の面積が小さい画素はグリーン画素及びシアン画素であり、前記他の画素はレッド画素及びブルー画素であることを特徴とする請求項１乃至３のいずれか一項に記載の液晶表示装置。
【請求項６】
前記透過部の面積が小さい画素は全領域に反射部が設けられており、前記駆動回路は前記反射部により覆われていることを特徴とする請求項１に記載の液晶表示装置。
【発明の詳細な説明】
【技術分野】
【０００１】
本発明は、複数の画素を有する、液晶表示装置などの表示装置に関する。
【背景技術】
【０００２】
近年、携帯電話や携帯情報端末といった携帯機器等に液晶表示装置が用いられている。このような液晶表示装置では、一つのカラー画素は、レッド（Ｒ）、グリーン（Ｇ）、ブルー（Ｂ）（以下、これらの色をそれぞれ単に「Ｒ」、「Ｇ」、「Ｂ」とも記す。）のカラーフィルタをそれぞれ有するサブ画素からなる。従来、これらのサブ画素の駆動を行うために、液晶画素ドライバやスイッチング回路といった液晶駆動回路を各サブ画素領域内に備えるものが知られている。例えば、特許文献１では、このようなサブ画素領域内に駆動回路の回路素子を作り込み、回路素子を画素スイッチの上の階層に作り込むことにより狭額縁化を実現している。
【０００３】
しかしながら、特許文献１における液晶表示装置には、各サブ画素毎に液晶駆動回路を配置しているために、各サブ画素の開口率が低下してしまうという欠点がある。
【０００４】
また、特許文献２では、液晶表示装置において白色を自由に設定するためにＲＧＢ各色の面積比率を変化させ、バックライトの分光特性やカラーフィルタとの組み合わせで表示可能な色再現範囲を選択自在とする技術が公開されている。
【０００５】
【特許文献１】特開平１１−１８４４０６号公報
【特許文献２】特開平８−８４３４７号公報
【発明の開示】
【発明が解決しようとする課題】
【０００６】
本発明は上記の点に鑑みてなされたものであり、狭額縁化と色再現範囲の拡大を両立することが可能な表示装置を提供することを課題とする。
【課題を解決するための手段】
【０００７】
本発明の１つの観点では、複数の走査線と複数のデータ線との交差に対応して画素部を構成する液晶表示装置において、前記画素部は、各々面積が異なる透過部と遮光部とを具備する複数の画素を有し、前記透過部の面積が小さい画素の遮光部に、当該画素の駆動回路及び当該画素より透過部の面積が大きい他の画素の駆動回路が形成されている。
【０００８】
上記の液晶表示装置は、透過部の面積が異なる複数の画素を有する。透過部とは、画素におけるバックライトからの光が透過する範囲を指す。また、遮光部とは、画素における透過部以外の周辺の範囲を指し、回路等が配置される範囲を指す。それぞれの画素を駆動するためには、各画素毎に画素ドライバやスイッチング回路といった駆動回路が必要とされる。そこで、駆動回路を透過部の面積が小さい画素の遮光部に配置する。即ち、透過部の面積が小さい画素の駆動回路のみならず、それより透過部の面積が大きい他の画素、より好ましくは隣接する他の画素の駆動回路も、当該透過部の面積が小さい画素の周辺に配置する。これにより駆動回路を効率的に配置することができ、駆動回路による開口率の制限を抑制することができる。
【０００９】
好適な例では、前記遮光部は、黒色遮光層又は反射電極によって覆われている。これにより、駆動回路の領域が観察者に見えないようにするとともに、コントラストの低下などを防止することができる。
【００１０】
上記の表示装置の一態様では、前記複数の画素の各々は、カラー画素を構成するサブ画素であり、前記透過部の面積が小さい画素はグリーン画素であり、前記他の画素はレッド画素及びブルー画素である。１つのカラー画素をＲＧＢ３色のサブ画素で構成する場合には、グリーン画素の透過部の面積を、レッド及びブルー画素の透過部の面積より小さくし、グリーン画素の周辺に３色のサブ画素の駆動回路を形成することが好ましい。これにより、駆動回路を効率よく集中させて狭額縁化を図ることができる。また、グリーン画素をレッド及びブルー画素より小さくすることにより、緑の輝度を赤及び青の輝度に対して相対的に低下させ、バランスのよい白色を得ることができる。
【００１１】
上記の表示装置の他の一態様では、前記複数の画素の各々は、カラー画素を構成するサブ画素であり、前記透過部の面積が小さい画素はグリーン画素及びシアン画素であり、前記他の画素はレッド画素及びブルー画素である。１つのカラー画素をＲＧＢ３色及びシアンのサブ画素で構成する場合には、グリーン画素及びシアン画素の透過部の面積を、レッド及びブルー画素の透過部の面積より小さくする。そして、グリーン画素及びシアン画素の周辺に、それらの画素自身の駆動回路に加えて、それぞれレッド画素及びブルー画素の一方の駆動回路を形成することが好ましい。例えば、グリーン画素の周辺にグリーン画素及びレッド画素の駆動回路を形成し、シアン画素の周辺にシアン画素及びブルー画素の駆動回路を形成する。これにより、駆動回路を効率よく集中させて狭額縁化を図ることができる。また、通常のＲＧＢ３色に加えてシアン画素を設けることにより、色再現範囲を拡大することができる。
【００１２】
上記の表示装置の他の一態様では、前記透過部の面積が小さい画素は全領域に反射部が設けられており、前記駆動回路は前記反射部により覆われている。透過部の面積が小さい画素の全領域に反射部が形成されている場合には、当該反射部の下に駆動回路を設けることにより、表示領域を拡大することができる。
【発明を実施するための最良の形態】
【００１３】
以下、図面を参照して本発明の好適な実施形態について説明する。尚、以下の実施形態は、本発明を液晶表示装置に適用したものである。
【００１４】
[第１実施形態]
（液晶表示パネル）
まず、本発明の実施形態に係る液晶表示装置の構成について図１および図２を用いて説明する。
【００１５】
図１は、本発明の第１実施形態に係る液晶表示装置１００の概略構成を模式的に示す平面図である。ガラス等の透明な基板１の中央部には画像表示領域２０が設けられ、画像表示領域２０には後述の走査線とデータ線とがマトリクス状に配置されている。走査線とデータ線との交点にレッド（Ｒ）、グリーン（Ｇ）、ブルー（Ｂ）のカラーフィルタが設けられ、それぞれレッド領域、グリーン領域、ブルー領域となる各サブ画素ＳＧが構成される。各サブ画素ＳＧには画素電極１０が設けられる。画像表示領域２０の周辺領域には、走査線に走査信号を供給する走査線駆動回路１１１、データ線にデータ信号を供給するデータ線駆動回路１１３及びパッド領域２６を介して外部から入力データを取り込む入力データ線１１４が配置されている。
【００１６】
なお、以下の説明において、色を問わずに構成要素を指す場合には、例えば「画素電極１０」のように記し、色を区別して構成要素を示す場合には、例えば「画素電極１０Ｒ」のように記すこととする。また、色を区別しないでサブ画素を示す場合には、単に「サブ画素ＳＧ」と記し、サブ画素の色を区別して示すときには、レッド領域のサブ画素を「サブ画素Ｒ」もしくは「Ｒのサブ画素」、グリーン領域のサブ画素を「サブ画素Ｇ」もしくは「Ｇのサブ画素」、ブルー領域のサブ画素を「サブ画素Ｂ」もしくは「Ｂのサブ画素」と記す。
【００１７】
次に、図２を参照して、切断線Ａ−Ａ’に沿った液晶表示装置１００の断面構成について説明する。
【００１８】
図２において、液晶表示装置１００は、素子基板９１と、その素子基板９１に対向して配置されるカラーフィルタ基板９２とが枠状のシール部材３を介して貼り合わされ、内部に液晶が封入されて液晶層４が形成されてなる。
【００１９】
下側基板１の内面上には、図１でも述べたように、サブ画素ＳＧ毎に、画素電極１０が形成されている。また、サブ画素ＳＧ毎に、所定の厚みを有する反射電極５が形成されている。反射電極５は、画素電極１０と導通しており、画素電極１０と同時に駆動される。各反射電極５には、矩形状の透過部２５（以下、「透明領域」とも呼ぶ。）が複数形成されている。各反射電極５は、アルミニウム、アルミニウム合金、銀合金等の薄膜により形成することができる。透過部２５は、画素表示領域２０内に縦横にマトリクス状に配列されたサブ画素ＳＧ毎に、当該サブ画素ＳＧの全面積を基準として所定割合の面積を有するように形成されている。
【００２０】
一方、上側基板２の内面上には、サブ画素領域ＳＧ毎にＲ、Ｇ、Ｂの三色のいずれかからなる着色層６Ｒ、６Ｇ、及び６Ｂが形成されている。着色層６Ｒ、６Ｇ及び６Ｂによりカラーフィルタが構成される。１つのカラー画素ＡＧは、Ｒ、Ｇ、Ｂのサブ画素から構成されるカラー１画素分の領域を示している。
【００２１】
一方のサブ画素から他方のサブ画素への光の混入を防止するため、着色層６間には、黒色遮光層ＢＭが形成されている。この黒色遮光層ＢＭは、黒色の樹脂材料、例えば黒色の顔料を樹脂中に分散させたもの等を用いることが可能である。上側基板２及び着色層６の内面上には、透明樹脂等からなるオーバーコート層１８が形成されている。このオーバーコート層１８は、カラーフィルタ基板の製造工程中に使用される薬剤等による腐食や汚染から、着色層６を保護する機能を有する。オーバーコート層１８の内面上には、ストライプ状のＩＴＯ（Indium-Tin-Oxide）などの透明な共通電極８が形成されている。
【００２２】
本実施形態の特徴として、グリーンのサブ画素Ｇの周辺（近傍）には、サブ画素Ｒ、Ｇ、Ｂの液晶を駆動するための液晶駆動回路を集約した回路素子２１が形成されている。また、下側基板１の内面上であって且つサブ画素Ｇの画素電極１０の隣には、データ線１１５が形成されている。回路素子２１は、データ線１１５に電気的に接続されている。データ線１１５は、クロム等の導電材料にて形成するのが好適である。また、回路素子２１はサブ画素Ｇの画素電極１０Ｇだけでなく、サブ画素Ｒ、Ｂの画素電極１０Ｒ、１０Ｂとも電気的に接続されている。この回路素子２１は、黒色遮光層ＢＭや、反射電極５によって覆われており、これによりコントラストの低下が防止されている。
【００２３】
下側基板１の外面上には、位相差板（１／４波長板）１１及び偏光板１２が配置されており、上側基板２の外面上には、位相差板（１／４波長板）１３及び偏光板１４が配置されている。また、偏光板１２の下側には、バックライト１５が配置されている。バックライト１５は、例えば、ＬＥＤ（Light Emitting Diode）等といった点状光源や、冷陰極蛍光管等といった線状光源と導光板を組み合わせたものなどが好適である。
【００２４】
さて、第１実施形態の液晶表示装置１００において透過型表示がなされる場合、バックライト１５から出射した照明光は、図２に示す経路Ｔに沿って進行し、画素電極１０及び着色層６等を通過して観察者に至る。この場合、その照明光は、着色層６を透過することにより所定の色相及び明るさを呈する。こうして、所望のカラー表示画像が観察者により視認される。
【００２５】
一方、本実施形態の液晶表示装置１００において反射型表示がなされる場合、液晶表示装置１００に入射した外光は、図２に示す経路Ｒに沿って進行する。つまり、液晶表示装置１００に入射した外光は、反射電極５によって反射され観察者に至る。この場合、その外光は、着色層６が形成されている領域を通過して、その着色層６の下側にある反射電極５により反射され、再度着色層６を通過することによって所定の色相及び明るさを呈する。こうして、所望のカラー表示画像が観察者により視認される。
【００２６】
（回路素子の配置）
次に、本発明の駆動回路における回路素子の配置について述べる。
【００２７】
図３は、本発明の第１実施形態に係る回路素子の配置の一例である。図３において、画像表示領域には、走査線１１０−ｎ（ｎは走査線の行を示す自然数）とデータ線１１２−ｍ（ｍはデータ線の列を示す自然数）がマトリクス状に配置され、互いの走査線の交差点に各サブ画素の液晶画素１０５が配置されている。また、サブ画素Ｇの近傍にはデータ線１１２−ｍに沿って入力データ線１１４から分岐した列データ線１１５も配置される。画像表示領域の行側の周辺領域には走査線駆動回路１１１が配置され、画像表示領域の列側の周辺領域にはデータ線駆動回路１１３が配置されている。各サブ画素の液晶画素１０５を駆動するために、液晶駆動回路１０１が配置されるが、レッド（Ｒ）、グリーン（Ｇ）、ブルー（Ｂ）の液晶画素１０５Ｒ、１０５Ｇ、１０５Ｂを駆動するための液晶駆動回路１０１Ｒ、１０１Ｇ、１０１Ｂはグリーンのサブ画素Ｇの周辺にまとめて配置される。
【００２８】
走査線駆動回路用制御信号１２０により走査線駆動回路１１１が制御され、選択された走査線１１０−ｎには選択信号が出力される。選択されない走査線は非選択電位に設定される。同様に、データ線駆動回路用制御信号１２１によりデータ線駆動回路１１３が制御され、選択されたデータ線１１２−ｍに選択信号が出力され、非選択のデータ線は非選択電位に設定される。いずれの走査線及びいずれのデータ線を選択するかは制御信号１２０，１２１により決められる。つまり、制御信号１２０，１２１は選択画素を指定するアドレス信号である。
【００２９】
選択された走査線１１０−ｎと選択されたデータ線１１２−ｍの交差点近傍に配置されるスイッチング制御回路１０９は、走査線とデータ線との選択信号を受けてオン信号を出力し、走査線１１０−ｎとデータ線１１２−ｍの少なくとも一方が非選択となるとオフ信号を出力する。すなわち、選択された走査線とデータ線の交差点に位置する画素のスイッチング制御回路１０９のみからオン信号が出力され、他のスイッチング制御回路１０９からはオフ信号が出力される。本実施形態では、このスイッチング制御回路１０９のオン、オフ信号により、液晶画素駆動回路１０１を制御する。
【００３０】
次に、一つの液晶画素駆動回路１０１の構成および動作について説明する。図３に示すように、液晶画素駆動回路１０１は、スイッチング回路１０２、メモリ回路１０３及び液晶画素ドライバ１０４を備えて構成されている。この液晶画素駆動回路１０１は、それぞれのサブ画素における液晶画素１０５と電気的に接続され、電圧を付加することにより、液晶の配向を変化させることができる。
【００３１】
スイッチング回路１０２はスイッチング制御回路１０９のオン信号により導通状態となり、オフ信号により非導通状態となる。スイッチング回路１０２は、導通状態となると、そこに接続されている列データ線１１５のデータ信号を、スイッチング回路１０２を介してメモリ回路１０３に書き込む。一方、スイッチング回路１０２はスイッチング制御回路１０９のオフ信号により非導通状態となると、メモリ回路１０３に書き込まれたデータ信号を保持する。
【００３２】
メモリ回路１０３に保持されたデータ信号は、液晶画素ドライバ１０４に供給される。液晶画素ドライバ１０４は供給されたデータ信号のレベルに応じて、第１の電圧信号線１１８に供給される第１の電圧１１６、又は第２の電圧信号線１１９に供給される第２の電圧１１７のいずれかを液晶画素１０５の画素電極１０に供給する。第１の電圧１１６は、液晶パネルがノーマリーホワイト表示の場合に、液晶画素１０５を黒表示状態とする電圧であり、一方第２の電圧１１７は液晶画素１０５を白表示状態とする電圧である。
【００３３】
メモリ回路１０３に保持されたデータ信号がＨレベルの場合は、液晶画素ドライバ１０４において、ノーマリーホワイト表示の場合液晶を黒表示させる第１の電圧信号線１１８に接続されるゲートが導通状態となり、各画素における画素電極１０に第１の電圧１１６が供給され、共通電極８に供給される基準電圧との電位差により液晶画素１０５が黒表示状態となる。同様に、保持されたデータ信号がＬレベルの場合は、液晶画素ドライバ１０４において第２の電圧信号線１１９に接続されるゲートが導通状態となり、画素電極１０に第２の電圧１１７が供給され液晶画素１０５が白表示状態となる。
【００３４】
以上の構成により、電源電圧、第１の電圧１１６、第２の電圧１１７及び基準電圧ともロジック電圧程度で駆動でき、かつ画面表示の書き換えが必要ない場合はメモリ回路１０３のデータ保持機能により表示状態を保持できるのでほとんど電流が流れない。
【００３５】
なお、液晶画素１０５は、保持されたデータ信号に応じて液晶画素ドライバ１０４から出力された第１の電圧１１６或いは第２の電圧１１７のいずれか一方が選択されて供給される画素電極１０が、図１及び図２に示したように画素毎に設けられ、この画素電極１３と共通電極８との間に介在する液晶層４に両電極の電位差が印加され、この電位差に応じた液晶分子の配向変化に応じて黒表示状態（オン表示状態ともいう）と白表示状態（オフ表示状態ともいう）となる。
【００３６】
図４（ａ）は、本発明の第１実施形態に係る液晶表示装置の画素の平面拡大図である。なお、図４及び図５においては、ＢＭは黒色遮光層を示している。各サブ画素は、透過表示のための透過部２５と、その周りに反射表示のための反射電極５とを有する。グリーンのサブ画素Ｇの周辺には、上述したように液晶駆動回路１０１Ｒ、１０１Ｇ、１０１Ｂが形成されている。即ち、グリーンのサブ画素Ｇの周辺には、これら３色の液晶駆動回路１０１をまとめた回路素子２１が形成されている。よって、サブ画素Ｇの透過部２５は、サブ画素Ｒ、Ｂの透過部２５と比べて小さくなっている。
【００３７】
図４（ｂ）は、本発明の第１実施形態に係る液晶表示装置の画素の他の一例の平面拡大図である。回路素子２１は、グリーンのサブ画素Ｇの周辺に配置されれば、透過部２５との位置関係は問わない。例えば、図４（ｂ）に示すように、回路素子２１をグリーンのサブ画素Ｇの透過部２５Ｇの下側に配置しても良い。なお、この回路素子２１は、図２で述べたように、黒色遮光層ＢＭや反射電極５によって覆われる（図４では黒色遮光層ＢＭにより覆われている）。
【００３８】
次に比較例として、従来技術である特許文献１の例を示す。図５は特許文献１における画素の構成を模式的に記したものであり、図６は、その回路素子の配置の一例である。
【００３９】
図５および図６に示すように、従来技術の例では、サブ画素Ｒ、Ｇ、Ｂのそれぞれに隣接して液晶駆動回路１０１Ｒ、１０１Ｇ、１０１Ｂが形成されており、透過部２５の面積は、各サブ画素ともに同じ大きさとなっている。よって、サブ画素Ｒ、Ｇ、Ｂのそれぞれの透過部２５の面積は、液晶駆動回路１０１が占める割合によって左右される。即ち、液晶駆動回路１０１の面積が大きくなればなるほど、透過部２５の面積は小さなものとなり、透過光量は減少するので、全体としての輝度は低くなる。
【００４０】
図７（ａ）は、このような従来の液晶表示装置における分光特性を示したものである。液晶表示装置の分光特性は、バックライトとカラーフィルタの分光特性で決定される。図６（ａ）を見ると、サブ画素Ｇの相対輝度が強くなっている。このため、液晶セルの透過状態における白色は、真の白色とは異なり、緑味を帯びた白色となることが多い。
【００４１】
図７（ｂ）は、ｘｙ色度図（ＣＩＥ：国際照明委員会）における白色位置Ｄと上述した白色遷移の一例を示している。ここで、三角形の実線は、Ｒ、Ｇ、Ｂの三原色による色再現範囲を示している。この図では、カラー液晶表示装置の基準となる白色Ｄに対し、サブ画素Ｒ、Ｇ、Ｂにおける１００％透過時の白色Ｅの位置が、ｘ方向に減少し、ｙ方向に増加している。よって、このことからも、白色位置が緑寄りにずれていることが分かる。
【００４２】
一方、図８は、本発明の第１実施形態に係る液晶表示装置における分光特性を示したものである。この液晶表示装置では上述したように、回路素子２１により、サブ画素Ｇの透過部２５の面積は、サブ画素Ｒ、Ｂの透過部２５の面積と較べて小さくなっている。よって、従来の液晶表示装置における分光特性である図７（ａ）において顕著であったサブ画素Ｇの相対輝度と較べると、図８（ａ）のサブ画素Ｇの相対輝度は弱いものとなる。
【００４３】
図８（ｂ）は、本発明の第１実施形態に係る液晶表示装置の白色位置Ｄを示したｘｙ色度図である。この図が示すように、従来例と比較してサブ画素Ｇの相対輝度が弱くなるので、サブ画素Ｒ、Ｇ、Ｂにおける１００％透過時の白色Ｅの位置は、カラー液晶表示装置の基準となる白色Ｄ上に位置する。よって、本発明の第１実施形態に係る液晶表示装置では、基準の白色により近い白色を再現することができる。
【００４４】
以上をまとめると、本発明の液晶表示装置は、従来の液晶表示装置が抱えていた問題、一つは液晶駆動回路による開口率の制限による輝度の低下、もう一つは、白色の色再現性の劣化という２つの課題を一挙に解決するものである。本発明の液晶表示装置は、サブ画素Ｇの透過部２５の面積を、サブ画素Ｒ、Ｂの透過部２５の面積よりも小さくし、そのサブ画素Ｇにおける減らした分の面積に、サブ画素Ｒ、Ｂのそれぞれの液晶駆動回路を配置することを特徴とする。よって、サブ画素Ｒ、Ｂのそれぞれの透過部２５の面積をその分拡大することができる。一方、サブ画素Ｇの透過部２５の面積は、従来の液晶パネルと較べると減少してしまうが、これに関しては問題ない。なぜなら、先に述べたように、従来の液晶パネルでは、サブ画素Ｇの相対輝度が強いことによって、白色の色再現性の劣化が引き起こされていたので、サブ画素Ｇの相対輝度は、むしろ弱められることが求められていたからである。よって、サブ画素Ｇの透過部２５の面積を縮小し、サブ画素Ｒ、Ｂの透過部２５の面積を拡大することにより、画素全体として輝度を高め、かつ、白色の再現性を改善することができる。
【００４５】
なお、完全反射型の液晶表示装置の場合には、サブ画素の全領域が反射電極とされ、バックライトより光を照射させる必要もなく、反射電極での外光の反射のみによって表示を行うことができる。よって、このような液晶表示装置の場合には、透過型の液晶表示装置のように回路素子が光を遮る恐れもないので、反射電極の下側全体に階層的に回路素子を配置する構成とすることができる。
【００４６】
[第２実施形態]
第１実施形態では、カラー１画素をレッド（Ｒ）、グリーン（Ｇ）、ブルー（Ｂ）の３色の画素により構成していたが、第２実施形態では、カラー１画素は、さらに、シアン（Ｃ）の画素を加えた計４色のサブ画素により構成される。シアンの画素は、ＲＧＢの画素と同様にシアンのカラーフィルタを用いて構成される。図９は、ｘｙ色度図（ＣＩＥ：国際照明委員会）におけるシアンを加えた場合の色再現範囲を示している。ここで、Ｒ、Ｇ、Ｂの三原色による色再現範囲を破線２０１で示し、シアンをさらに加えた場合の色再現範囲を実線２０２で示す。この図から分かるように、シアンの画素を加えることにより、矢印で示す方向、即ちシアン系色の色再現範囲を拡大することができる。
【００４７】
但し、シアンは、第１実施形態における光の三原色であるＲ、Ｇ、Ｂを補色し、色再現範囲を拡大する役目を有するに過ぎず、これらＲ、Ｇ、Ｂと同じ強さの相対輝度を有する必要性はない。よって、第２実施形態では、グリーン（Ｇ）のサブ画素Ｇの透過部に加え、シアンのサブ画素Ｃの透過部の面積も小さくし、サブ画素Ｃの周辺にも液晶駆動回路を設けることとする。
【００４８】
図１０は、本発明の第２実施形態に係る液晶表示装置の回路素子の配置の一例であり、図１１は、本発明の第２実施形態に係る画素の平面拡大図である。
【００４９】
図１０が示すように、第２実施形態では、レッド（Ｒ）、グリーン（Ｇ）の液晶画素１０５Ｒ、１０５Ｇを駆動するための液晶駆動回路１０１Ｒ、１０１Ｇは、サブ画素Ｇの周辺（近傍）にまとめて配置される。同様に、ブルー（Ｂ）、シアン（Ｃ）の液晶画素１０５Ｂ、１０５Ｃを駆動するための液晶駆動回路１０１Ｂ、１０１Ｃは、サブ画素Ｃの周辺（近傍）にまとめて配置される。このように１つのカラー画素が４色のサブ画素からなる場合、ある特定のサブ画素と、その隣のサブ画素の２つ画素における液晶駆動回路を、それらのサブ画素のうち透過部の面積が小さい方のサブ画素の周辺に配置する。第１実施形態では、透過部の面積が小さい１つのサブ画素（即ちグリーン画素）の周辺に３つのサブ画素の液晶駆動回路を作り込む構成としていたのに対し、第２実施形態では、透過部の面積が小さい１つのサブ画素の周辺に、２つのサブ画素の液晶駆動回路を作り込む構成とする。よって、第２実施形態は、第１実施形態と比較して、色再現範囲を拡大しつつ、さらに回路配線の引き回しをより単純なものとすることができる。
【００５０】
図１１（ａ）は、図１０に示した回路素子の配置を有する液晶表示装置の画素の平面拡大図を示している。各サブ画素は、透過表示のための透過部２５と、その周りに反射表示のための反射電極５とを有する。サブ画素Ｇの透過部２５Ｇの周辺には、上述したように液晶駆動回路１０１Ｒ、１０１Ｇを集約した回路素子２１ａを配置し、サブ画素Ｃの透過部２５Ｃの周辺には、液晶駆動回路１０１Ｃ、１０１Ｂを集約した回路素子２１ｂを配置する。よって、先にも述べたようにサブ画素Ｇ、Ｃの透過部２５は、サブ画素Ｒ、Ｂの透過部２５と比べて小さくなっている。
【００５１】
図１１（ｂ）は、第２実施形態に係る液晶表示装置の画素の平面拡大図の他の一例である。このように、サブ画素Ｂとサブ画素Ｃを入れ替えても、ある特定のサブ画素と、その隣のサブ画素を駆動する液晶駆動回路を当該特定の画素の周辺に作り込む構成とすることができる。
【００５２】
なお、第２実施形態では、シアン系色の色再現範囲を拡大させるために、シアンのカラーフィルタを用いたが、本発明の適用はこれに限られるものではない。他系色の色再現範囲を拡大させるために他の色のカラーフィルタをＲＧＢの三原色に加えた場合においても、第２実施形態と同様に、当該他の色のカラーフィルタのサブ画素の周辺に液晶駆動回路を作り込むことにより、同様の効果を得ることができる。
【００５３】
また、上記の第２実施形態では、液晶駆動回路１０１Ｒ及び１０１Ｇをサブ画素Ｇの周辺に配置し、液晶駆動回路１０１Ｂ及び１０１Ｃをサブ画素Ｃの周辺に配置しているが、これらの組み合わせを変更し、液晶駆動回路１０１Ｂ及び１０１Ｇをサブ画素Ｇの周辺に配置し、液晶駆動回路１０１Ｒ及び１０１Ｃをサブ画素Ｃの周辺に配置してもよい。即ち、サブ画素Ｇの周辺に液晶駆動回路１０１Ｇと、１０１Ｒ又は１０１Ｂの一方を配置し、サブ画素Ｃの周辺に液晶駆動回路１０１Ｃと、１０１Ｒ又は１０１Ｂの他方を配置することとすればよい。
【００５４】
[電子機器]
次に、本発明に係る液晶表示装置１００を適用可能な電子機器の具体例について図１２を参照して説明する。
【００５５】
まず、本発明に係る液晶表示装置１００を、可搬型のパーソナルコンピュータ（いわゆるノート型パソコン）の表示部に適用した例について説明する。図１２（ａ）は、このパーソナルコンピュータの構成を示す斜視図である。同図に示すように、パーソナルコンピュータ７１０は、キーボード７１１を備えた本体部７１２と、本発明に係る液晶表示パネルを適用した表示部７１３とを備えている。
【００５６】
続いて、本発明に係る液晶表示装置１００を、携帯電話機の表示部に適用した例について説明する。図１２（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００５７】
なお、本発明に係る液晶表示装置１００を適用可能な電子機器としては、図１２（ａ）に示したパーソナルコンピュータや図１２（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５８】
【図１】液晶表示パネルの構成を示す平面図である。
【図２】液晶表示パネルの構成を示す断面図である。
【図３】第１実施形態に係る回路素子の配置を示すブロック図である。
【図４】第１実施形態に係る画素の概略構成を示す拡大平面図である。
【図５】従来例に係る画素の概略構成を示す拡大平面図である。
【図６】従来例に係る回路素子の配置を示すブロック図である。
【図７】従来例に係る分光特性およびｘｙ色度図である。
【図８】第１実施形態に係る分光特性およびｘｙ色度図である。
【図９】第２実施形態に係るｘｙ色度図である。
【図１０】第２実施形態に係る回路素子の配置を示すブロック図である。
【図１１】第２実施形態に係る画素の概略構成を示す拡大平面図である。
【図１２】本発明の液晶表示装置を適用した電子機器の例。
【符号の説明】
【００５９】
５  反射電極、  １０  画素電極、  ６  着色層、  ＡＧ  画素、  ＳＧ  サブ画素、  ＢＭ  黒色遮光層、  １００  液晶表示装置
【図１】
2006139058.tif 000003
【図２】
2006139058.tif 000004
【図３】
2006139058.tif 000005
【図４】
2006139058.tif 000006
【図５】
2006139058.tif 000007
【図６】
2006139058.tif 000008
【図７】
2006139058.tif 000009
【図８】
2006139058.tif 000010
【図９】
2006139058.tif 000011
【図１０】
2006139058.tif 000012
【図１１】
2006139058.tif 000013
【図１２】
2006139058.tif 000014